(57)【要約】【課題】遊技者の携帯用品を安全に手元に保管することのできる遊技スペースを提供すること。【解決手段】壁面１に対して複数のパチンコ遊技機２を水平方向に直列に隣接配置し、各遊技機２毎にその前方位置に椅子３を配置し、遊技者がその椅子３に着座して遊技機２に対面して遊技をするような遊技スペースにおいて、各遊技機２の下方位置には遊技者側に突出する小テーブル５を形成する。そして、小テーブル５の下方位置の壁面１ａ上に遊技者の携帯用品を収納することを主目的とする収納バッグ７を配設する。【選択図】      図１
0003123636.tif 000002
【実用新案登録請求の範囲】
【請求項１】
壁面に対して複数の遊技機を水平方向に直列に隣接配置し、同各遊技機毎にその前方位置に椅子を配置し、遊技者が同椅子に着座して同遊技機に対面して遊技をするようにした遊技スペースにおいて、
前記各遊技機の下方位置には遊技者側に突出する小テーブルを形成し、同小テーブルの下方位置であって前記壁面上には遊技者の携帯用品を収納することを主目的とする収納バッグを配設したことを特徴とする遊技スペース。
【請求項２】
前記収納バッグは着脱可能とされていることを特徴とする請求項１に記載の遊技スペース。
【考案の詳細な説明】
【技術分野】
【０００１】
本考案はパチンコホールの壁面に埋め込まれたパチンコ遊技機やスロットマシン等の遊技機の前方に椅子が配置された構造の遊技スペースに関するものである。
【背景技術】
【０００２】
従来のパチンコホールでのパチンコ遊技機等の遊技においては遊技者は自身の手荷物（携帯用品）は各遊技機の下部前面に張り出した小テーブルの上に置くことが多かった。このような従来のパチンコ遊技機の一例を特許文献１として示す。
【特許文献１】特開２００２−１７２２４２号公報
【考案の開示】
【考案が解決しようとする課題】
【０００３】
しかし、この小テーブル上の位置は遊技者本人以外の者からも手が届きやすいため、遊技に夢中になってしまうと気がつかないうちに手荷物が盗難にあってしまう可能性があった。ロッカーを用意したパチンコホールも一部にはあるが、小銭入れや携帯電話のような手元に置いておきたい手荷物もあるのでこれら小さな手荷物は実際にはロッカーを使用するということはあまりない。そのため、ロッカーに入れなくとも安全に手荷物を収納することのできる手段が求められていた。
本考案は、このような従来の技術に存在する問題点に着目してなされたものである。その主目的とするところは、遊技者の携帯用品を安全に手元に保管することのできる遊技スペースを提供することにある。
【課題を解決するための手段】
【０００４】
上記の目的を達成するための第１の手段として、壁面に対して複数の遊技機を水平方向に直列状に隣接配置し、同各遊技機毎にその前方位置に椅子を配置し、遊技者が同椅子に着座して同遊技機に対面して遊技をするようにした遊技スペースにおいて、前記各遊技機の下方位置には遊技者側に突出する小テーブルを形成し、同小テーブルの下方位置であって前記壁面上には遊技者の携帯用品を収納することを主目的とする収納バッグを配設したことをその要旨とする。
このような構成とすると、遊技機に対面して着座した遊技者は自身の足下の前方の壁面に配設された収納バッグ内に自身の携帯用品を収納することができる。このように低い奥まった位置に収納バッグが配置され、かつ遊技者自身の体が盾になっていることから第三者は非常に手を出しにくく盗難の可能性は非常に低くなっている。例えば小テーブルの上に携帯用品があれば姿勢をそれほど崩すこともなく何気なく手を伸ばしてこれを盗んでもなかなか分かりにくいものであるが、収納バッグがこのような位置にあれば携帯用品を盗むためには第三者は非常に不自然な姿勢を取らざるを得ない。そのため、盗難にあう可能性は低くなる。また、小テーブルの上に携帯用品があると第三者から見て遊技者がその場にいても脇から手を伸ばせるがこのような位置に収納バッグがあると遊技者が邪魔で手を伸ばすことは不可能である。
更に、この収納バッグは小テーブルの下方位置の壁面上にあるため、小テーブルが邪魔となって第三者は手を出しにくくなっている。また、小テーブルが邪魔となって収納されている携帯用品自体が見にくくなっているので更に盗難にあう可能性が低くなる。
【０００５】
第２の手段では第１の手段に加え、前記収納バッグは着脱可能とされていることをその要旨とする。
この構成によって、パチンコホールで必要に応じて収納バッグを取り外すことが可能となる。例えば収納バッグのモデルチェンジをして取り替えたり、壁面を開閉する際に邪魔となる場合に一旦外したりすることが想定される。
【考案の効果】
【０００６】
上記各請求項の考案では、遊技者の携帯用品に第三者が手を出しにくくなり、携帯用品の盗難が防止できる。
【考案を実施するための最良の形態】
【０００７】
以下、本考案における遊技スペースを具体化した一実施の形態を図面に基づいて説明する。
図１及び図２に示すように、パチンコホール内の壁面１には多数のパチンコ遊技機２が水平方向に直列状に隣接して配設されている。各パチンコ遊技機２の前方には所定間隔をあけて椅子３が床面４に固着されている。遊技者は椅子３に着座してパチンコ遊技機２に対面して遊技を行う。パチンコ遊技機２の下部位置には左右方向に延びる前後幅の狭い小テーブル５が配設されている。小テーブル５は同一壁面１に配設されたパチンコ遊技機２の全長に渉って水平方向に延設されている。
【０００８】
いわゆる腰板と呼ばれる小テーブル５の下部位置の下部壁面１ａには収納バッグ７が配設されている。この配設位置はちょうど遊技者の下半身の前方位置となる。図３に示すように、収納バッグ７は可撓性のあるポリエチレン製の薄材から構成されている。収納バッグ７は濃色の背面クロス８と、同背面クロス８と一体化した底面クロス９を有している。背面クロス８と対向する位置には底面クロス９に縫合された前面ネット１０が配設されている。これらクロス８、９及びネット１０に対して左右のマチ部１１を縫合することによって上方のみ開口した袋部１２が形成されている。ネット１０の前面側には同ネット１０と重複状に透明な前面クロス１３が配設されている。
このような構成によって遊技者が袋部１２内に携帯用品を収納するとネット１０及び前面クロス１３を通して携帯用品を目視することが可能となる。また、ネット１０と前面クロス１３の間にも収納部１４が形成されることとなる。この収納部１４には遊技者の携帯用品を収納してもよく、ホール側でパチンコ遊技機の遊技方法等のパンフレットを差し込むように使用してもよい。
袋部１２は前面ネット１０の中央上部寄りに取り付けられたボタン１５によって開閉可能とされている。背面クロス８の上部左右寄り位置にはそれぞれゴム製のバンド１６が配設されている。バンド１６は例えば収納部１４にいわゆるペットボトルのような飲料水の入った水筒を収納する際の押さえ部材とされる。マチ部１１には携帯電話用のホルダー１７が接続されている。
背面クロス８の裏面には第１の面ファスナー１８（ループ側）が貼着されており、下部壁面１ａに貼着された第２の面ファスナー１９（フック側）に対して着脱可能に取り付けられている。
【０００９】
このような構成では、収納バッグ７は小テーブル５の下部位置の下部壁面１ａに配設されるため、小テーブル５が邪魔となって第三者は手を出しにくくなっている。また、小テーブル５が邪魔となって収納されている携帯用品自体が見にくくなっているので更に盗難にあう可能性が低くなる。また、遊技者自身の体が盾になっていることから第三者は非常に手を出しにくく盗難の可能性は大変低くなる。
【００１０】
その他、本発明は以下のような態様で変更して実施することも可能である。
・収納バッグ７の形状・大きさは上記実施の形態に限定されるものではない。
・収納バッグ７の着脱手段は上記実施の形態に限定されるものではない。
・収納バッグ７の材質は上記実施の形態に限定されるものではない。
・収納バッグはパチンコ遊技機以外の遊技機に併設するようにしてもよい。
その他、本考案の趣旨を逸脱しない範囲で変更して実施することは自由である。
【図面の簡単な説明】
【００１１】
【図１】本考案の実施の形態の遊技スペースにおけるパチンコ遊技機の正面図。
【図２】同じ遊技スペースの概略側面図。
【図３】収納バッグの斜視図。
【符号の説明】
【００１２】
１…壁面、２…遊技機としてのパチンコ遊技機、３…椅子、５…小テーブル、７…収納バッグ。
【図１】
0003123636.tif 000003
【図２】
0003123636.tif 000004
【図３】
0003123636.tif 000005
【手続補正書】
【提出日】平成18年3月14日(2006.3.14)
【手続補正１】
【補正対象書類名】実用新案登録請求の範囲
【補正対象項目名】全文
【補正方法】変更
【補正の内容】
【実用新案登録請求の範囲】
【請求項１】
壁面に対して複数の遊技機を水平方向に直列に隣接配置し、同各遊技機毎にその前方位置に椅子を配置し、遊技者が同椅子に着座して同遊技機に対面して遊技をするようにした遊技スペースに配設される収納バッグであって、
遊技者の携帯用品を収納することを主目的として前記各遊技機の下方位置であって遊技者側に突出する小テーブルの下方位置かつ前記壁面上に配設されることを特徴とする収納バッグ。
【請求項２】
前記壁面に対して着脱可能とされていることを特徴とする請求項１に記載の収納バッグ。
【手続補正２】
【補正対象書類名】明細書
【補正対象項目名】全文
【補正方法】変更
【補正の内容】
【考案の詳細な説明】
【技術分野】
【０００１】
本考案はパチンコホールの壁面に埋め込まれたパチンコ遊技機やスロットマシン等の遊技機の前方に椅子が配置された構造の遊技スペースに配置する収納バッグに関するものである。
【背景技術】
【０００２】
従来のパチンコホールでのパチンコ遊技機等の遊技においては遊技者は自身の手荷物（携帯用品）は各遊技機の下部前面に張り出した小テーブルの上に置くことが多かった。このような従来のパチンコ遊技機の一例を特許文献１として示す。
【特許文献１】特開２００２−１７２２４２号公報
【考案の開示】
【考案が解決しようとする課題】
【０００３】
しかし、この小テーブル上の位置は遊技者本人以外の者からも手が届きやすいため、遊技に夢中になってしまうと気がつかないうちに手荷物が盗難にあってしまう可能性があった。ロッカーを用意したパチンコホールも一部にはあるが、小銭入れや携帯電話のような手元に置いておきたい手荷物もあるのでこれら小さな手荷物は実際にはロッカーを使用するということはあまりない。そのため、ロッカーに入れなくとも安全に手荷物を収納することのできる手段が求められていた。
本考案は、このような従来の技術に存在する問題点に着目してなされたものである。その主目的とするところは、遊技者の携帯用品を安全に手元に保管することのできる収納バッグを提供することにある。
【課題を解決するための手段】
【０００４】
上記の目的を達成するための第１の手段として、壁面に対して複数の遊技機を水平方向に直列に隣接配置し、同各遊技機毎にその前方位置に椅子を配置し、遊技者が同椅子に着座して同遊技機に対面して遊技をするようにした遊技スペースに配設される収納バッグであって、遊技者の携帯用品を収納することを主目的として前記各遊技機の下方位置であって遊技者側に突出する小テーブルの下方位置かつ前記壁面上に配設したことをその要旨とする。
このような構成とすると、遊技機に対面して着座した遊技者は自身の足下の前方の壁面に配設された収納バッグ内に自身の携帯用品を収納することができる。このように低い奥まった位置に収納バッグが配置され、かつ遊技者自身の体が盾になっていることから第三者は非常に手を出しにくく盗難の可能性は非常に低くなっている。例えば小テーブルの上に携帯用品があれば姿勢をそれほど崩すこともなく何気なく手を伸ばしてこれを盗んでもなかなか分かりにくいものであるが、収納バッグがこのような位置にあれば携帯用品を盗むためには第三者は非常に不自然な姿勢を取らざるを得ない。そのため、盗難にあう可能性は低くなる。また、小テーブルの上に携帯用品があると第三者から見て遊技者がその場にいても脇から手を伸ばせるがこのような位置に収納バッグがあると遊技者が邪魔で手を伸ばすことは不可能である。
更に、この収納バッグは小テーブルの下方位置の壁面上にあるため、小テーブルが邪魔となって第三者は手を出しにくくなっている。また、小テーブルが邪魔となって収納されている携帯用品自体が見にくくなっているので更に盗難にあう可能性が低くなる。
【０００５】
第２の手段では第１の手段に加え、前記壁面に対して着脱可能とされていることをその要旨とする。
この構成によって、パチンコホールで必要に応じて収納バッグを取り外すことが可能となる。例えば収納バッグのモデルチェンジをして取り替えたり、壁面を開閉する際に邪魔となる場合に一旦外したりすることが想定される。
【考案の効果】
【０００６】
上記各請求項の考案では、遊技者の携帯用品に第三者が手を出しにくくなり、携帯用品の盗難が防止できる。
【考案を実施するための最良の形態】
【０００７】
以下、本考案における収納バッグを具体化した一実施の形態を図面に基づいて説明する。
図１及び図２に示すように、パチンコホール内の壁面１には多数のパチンコ遊技機２が水平方向に直列状に隣接して配設されている。各パチンコ遊技機２の前方には所定間隔をあけて椅子３が床面４に固着されている。遊技者は椅子３に着座してパチンコ遊技機２に対面して遊技を行う。パチンコ遊技機２の下部位置には左右方向に延びる前後幅の狭い小テーブル５が配設されている。小テーブル５は同一壁面１に配設されたパチンコ遊技機２の全長に渉って水平方向に延設されている。
【０００８】
いわゆる腰板と呼ばれる小テーブル５の下部位置の下部壁面１ａには収納バッグ７が配設されている。この配設位置はちょうど遊技者の下半身の前方位置となる。図３に示すように、収納バッグ７は可撓性のあるポリエチレン製の薄材から構成されている。収納バッグ７は濃色の背面クロス８と、同背面クロス８と一体化した底面クロス９を有している。背面クロス８と対向する位置には底面クロス９に縫合された前面ネット１０が配設されている。これらクロス８、９及びネット１０に対して左右のマチ部１１を縫合することによって上方のみ開口した袋部１２が形成されている。ネット１０の前面側には同ネット１０と重複状に透明な前面クロス１３が配設されている。
このような構成によって遊技者が袋部１２内に携帯用品を収納するとネット１０及び前面クロス１３を通して携帯用品を目視することが可能となる。また、ネット１０と前面クロス１３の間にも収納部１４が形成されることとなる。この収納部１４には遊技者の携帯用品を収納してもよく、ホール側でパチンコ遊技機の遊技方法等のパンフレットを差し込むように使用してもよい。
袋部１２は前面ネット１０の中央上部寄りに取り付けられたボタン１５によって開閉可能とされている。背面クロス８の上部左右寄り位置にはそれぞれゴム製のバンド１６が配設されている。バンド１６は例えば収納部１４にいわゆるペットボトルのような飲料水の入った水筒を収納する際の押さえ部材とされる。マチ部１１には携帯電話用のホルダー１７が接続されている。
背面クロス８の裏面には第１の面ファスナー１８（ループ側）が貼着されており、下部壁面１ａに貼着された第２の面ファスナー１９（フック側）に対して着脱可能に取り付けられている。
【０００９】
このような構成では、収納バッグ７は小テーブル５の下部位置の下部壁面１ａに配設されるため、小テーブル５が邪魔となって第三者は手を出しにくくなっている。また、小テーブル５が邪魔となって収納されている携帯用品自体が見にくくなっているので更に盗難にあう可能性が低くなる。また、遊技者自身の体が盾になっていることから第三者は非常に手を出しにくく盗難の可能性は大変低くなる。
【００１０】
その他、本発明は以下のような態様で変更して実施することも可能である。
・収納バッグ７の形状・大きさは上記実施の形態に限定されるものではない。
・収納バッグ７の着脱手段は上記実施の形態に限定されるものではない。
・収納バッグ７の材質は上記実施の形態に限定されるものではない。
・収納バッグはパチンコ遊技機以外の遊技機に併設するようにしてもよい。
その他、本考案の趣旨を逸脱しない範囲で変更して実施することは自由である。
【図面の簡単な説明】
【００１１】
【図１】本考案の実施の形態の遊技スペースにおけるパチンコ遊技機の正面図。
【図２】同じ遊技スペースの概略側面図。
【図３】収納バッグの斜視図。
【符号の説明】
【００１２】
１…壁面、２…遊技機としてのパチンコ遊技機、３…椅子、５…小テーブル、７…収納バッグ。
【手続補正書】
【提出日】平成18年4月4日(2006.4.4)
【手続補正１】
【補正対象書類名】実用新案登録請求の範囲
【補正対象項目名】全文
【補正方法】変更
【補正の内容】
【実用新案登録請求の範囲】
【請求項１】
壁面に対して水平方向に直列に隣接配置された複数の遊技機と、同各遊技機毎にその前方位置に配置された椅子と、同遊技機の下部位置で同椅子に着座した遊技者側に突出する小テーブルとを備えた遊技スペースであって、同遊技スペースの同小テーブルの下方位置かつ前記壁面上に配設するための収納バッグにおいて、
同収納バッグには遊技者の携帯用品を一次的に収納することを主目的とする収納部を設けたことを特徴とする収納バッグ。
【請求項２】
前記壁面に対して着脱可能とされていることを特徴とする請求項１に記載の収納バッグ。
【手続補正２】
【補正対象書類名】明細書
【補正対象項目名】０００４
【補正方法】変更
【補正の内容】
【０００４】
上記の目的を達成するための第１の手段として、壁面に対して水平方向に直列に隣接配置された複数の遊技機と、同各遊技機毎にその前方位置に配置された椅子と、同遊技機の下部位置で同椅子に着座した遊技者側に突出する小テーブルとを備えた遊技スペースであって、同遊技スペースの同小テーブルの下方位置かつ前記壁面上に配設するための収納バッグにおいて、同収納バッグには遊技者の携帯用品を一次的に収納することを主目的とする収納部を設けたことをその要旨とする。
このような構成とすると、遊技機に対面して着座した遊技者は自身の足下の前方の壁面に配設された収納バッグ内の収納部に自身の携帯用品を収納することができる。このように低い奥まった位置に収納バッグが配置され、かつ遊技者自身の体が盾になっていることから第三者は非常に手を出しにくく盗難の可能性は非常に低くなっている。例えば小テーブルの上に携帯用品があれば姿勢をそれほど崩すこともなく何気なく手を伸ばしてこれを盗んでもなかなか分かりにくいものであるが、収納バッグがこのような位置にあれば携帯用品を盗むためには第三者は非常に不自然な姿勢を取らざるを得ない。そのため、盗難にあう可能性は低くなる。また、小テーブルの上に携帯用品があると第三者から見て遊技者がその場にいても脇から手を伸ばせるがこのような位置に収納バッグがあると遊技者が邪魔で手を伸ばすことは不可能である。
更に、この収納バッグは小テーブルの下方位置の壁面上にあるため、小テーブルが邪魔となって第三者は手を出しにくくなっている。また、小テーブルが邪魔となって収納されている携帯用品自体が見にくくなっているので更に盗難にあう可能性が低くなる。
【手続補正書】
【提出日】平成18年5月23日(2006.5.23)
【手続補正１】
【補正対象書類名】実用新案登録請求の範囲
【補正対象項目名】全文
【補正方法】変更
【補正の内容】
【実用新案登録請求の範囲】
【請求項１】
壁面に対して水平方向に直列に隣接配置された複数の遊技機と、同各遊技機毎にその前方位置に配置された椅子と、同遊技機の下部位置で同椅子に着座した遊技者側に突出する小テーブルとを備えた遊技スペースであって、同遊技スペースの同小テーブルの下方位置かつ前記壁面上に遊技者の携帯用品を一時的に収納することを主目的とする収納バッグを取り付けるための取り付け構造において、
前記収納バッグに第１の取り付け手段を配設するとともに、前記小テーブルの下方位置の前記壁面には第２の取り付け手段を配設し、両取り付け手段を係合させることで同収納バッグを同壁面に配置するようにしたことを特徴とする収納バッグの取り付け構造。
【請求項２】
前記第１の取り付け手段は前記第２の取り付け手段に対して着脱可能とされていることを特徴とする請求項１に記載の収納バッグの取り付け構造。
【手続補正３】
【補正対象書類名】明細書
【補正対象項目名】０００４
【補正方法】変更
【補正の内容】
【０００４】
上記の目的を達成するための第１の手段として、壁面に対して水平方向に直列に隣接配置された複数の遊技機と、同各遊技機毎にその前方位置に配置された椅子と、同遊技機の下部位置で同椅子に着座した遊技者側に突出する小テーブルとを備えた遊技スペースであって、同遊技スペースの同小テーブルの下方位置かつ前記壁面上に遊技者の携帯用品を一時的に収納することを主目的とする収納バッグを取り付けるための取り付け構造において、前記収納バッグに第１の取り付け手段を配設するとともに、前記小テーブルの下方位置の前記壁面には第２の取り付け手段を配設し、両取り付け手段を係合させることで同収納バッグを同壁面に配置するようにしたことをその要旨とする。
このような構成とすると、遊技機に対面して着座した遊技者は自身の足下の前方の壁面に配設された収納バッグ内の収納部に自身の携帯用品を収納することができる。このように低い奥まった位置に収納バッグが配置され、かつ遊技者自身の体が盾になっていることから第三者は非常に手を出しにくく盗難の可能性は非常に低くなっている。例えば小テーブルの上に携帯用品があれば姿勢をそれほど崩すこともなく何気なく手を伸ばしてこれを盗んでもなかなか分かりにくいものであるが、収納バッグがこのような位置にあれば携帯用品を盗むためには第三者は非常に不自然な姿勢を取らざるを得ない。そのため、盗難にあう可能性は低くなる。また、小テーブルの上に携帯用品があると第三者から見て遊技者がその場にいても脇から手を伸ばせるがこのような位置に収納バッグがあると遊技者が邪魔で手を伸ばすことは不可能である。
更に、この収納バッグは小テーブルの下方位置の壁面上にあるため、小テーブルが邪魔となって第三者は手を出しにくくなっている。また、小テーブルが邪魔となって収納されている携帯用品自体が見にくくなっているので更に盗難にあう可能性が低くなる。
【手続補正４】
【補正対象書類名】明細書
【補正対象項目名】０００５
【補正方法】変更
【補正の内容】
【０００５】
第２の手段では第１の手段に加え、前記第１の取り付け手段は前記第２の取り付け手段に対して着脱可能とされていることをその要旨とする。
この構成によって、パチンコホールで必要に応じて収納バッグを取り外すことが可能となる。例えば収納バッグのモデルチェンジをして取り替えたり、壁面を開閉する際に邪魔となる場合に一旦外したりすることが想定される。
【手続補正５】
【補正対象書類名】明細書
【補正対象項目名】０００８
【補正方法】変更
【補正の内容】
【０００８】
いわゆる腰板と呼ばれる小テーブル５の下部位置の下部壁面１ａには収納バッグ７が配設されている。この配設位置はちょうど遊技者の下半身の前方位置となる。図３に示すように、収納バッグ７は可撓性のあるポリエチレン製の薄材から構成されている。収納バッグ７は濃色の背面クロス８と、同背面クロス８と一体化した底面クロス９を有している。背面クロス８と対向する位置には底面クロス９に縫合された前面ネット１０が配設されている。これらクロス８、９及びネット１０に対して左右のマチ部１１を縫合することによって上方のみ開口した袋部１２が形成されている。ネット１０の前面側には同ネット１０と重複状に透明な前面クロス１３が配設されている。
このような構成によって遊技者が袋部１２内に携帯用品を収納するとネット１０及び前面クロス１３を通して携帯用品を目視することが可能となる。また、ネット１０と前面クロス１３の間にも収納部１４が形成されることとなる。この収納部１４には遊技者の携帯用品を収納してもよく、ホール側でパチンコ遊技機の遊技方法等のパンフレットを差し込むように使用してもよい。
袋部１２は前面ネット１０の中央上部寄りに取り付けられたボタン１５によって開閉可能とされている。背面クロス８の上部左右寄り位置にはそれぞれゴム製のバンド１６が配設されている。バンド１６は例えば収納部１４にいわゆるペットボトルのような飲料水の入った水筒を収納する際の押さえ部材とされる。マチ部１１には携帯電話用のホルダー１７が接続されている。
背面クロス８の裏面には第１の取り付け手段としての第１の面ファスナー１８（ループ側）が貼着されており、下部壁面１ａに貼着された第２の取り付け手段としての第２の面ファスナー１９（フック側）に対して着脱可能に取り付けられている。